(57)【要約】      （修正有）【課題】一方の建物と他方の建物が異なる前後左右方向に揺れ動いても、目地部に隙間が生じることなく覆うことができる、構造が簡単で、容易に設置することができる安全な外側通路用目地装置を提供する。【解決手段】一方の建物の外側通路の端部の床躯体に形成された目地プレート後端部支持凹部と、他方の建物の外側通路の端部の床躯体に形成された目地プレート先端部支持凹部と、地震で異なる前後方向に揺れ動いた場合に、他方の建物の外壁と衝突しない目地プレート後端部支持凹部に先端部が上方へ回動可能に後端部が枢支された目地プレートと、一方の建物の外壁と他方の建物の外壁に一端部が当接し、いずれかの外壁に当接して覆うことができる移動目地プレートと、この移動目地プレートの一端部を常時一方の建物の外壁、あるいは他方の建物の外壁に当接するように支持する支持機構とで外側通路用目地装置を構成している。【選択図】図２
2009079356.tif 000002
【特許請求の範囲】
【請求項１】
一方の建物の外側通路の端部の床躯体に形成された目地プレート後端部支持凹部と、この目地プレート後端部支持凹部と目地部を介して対応する部位の他方の建物の外側通路の端部の床躯体に形成された目地プレート先端部支持凹部と、地震で異なる前後方向に一方の床躯体と他方の床躯体とが揺れ動いた場合に、他方の建物の外壁と衝突しない前記目地プレート後端部支持凹部に先端部が上方へ回動可能に後端部が枢支され、先端部が前記目地プレート先端部支持凹部を覆うように支持された目地プレートと、前記一方の建物の外壁と他方の建物の外壁に一端部が当接し、地震で異なる前後方向に揺れ動いた場合でも、いずれか一方の建物の外壁に当接、あるいは他方の建物の外壁に当接して覆うことができる移動目地プレートと、この移動目地プレートの一端部を常時一方の建物の外壁、他方の建物の外壁の両方あるいはいずれか一方に当接するように支持する支持機構とからなることを特徴とする外側通路用目地装置。
【発明の詳細な説明】
【技術分野】
【０００１】
本発明は目地部を介して設けられた一方の建物と他方の建物の外側通路を接続する、一方の建物の床躯体に後端部が支持された目地プレートを用いる外側通路用目地装置に関する。
【背景技術】
【０００２】
従来、この種の一方の建物の外側通路の目地部側端部に後端部が枢支された目地プレートを備える外側通路用目地装置は、目地プレートの先端部側の端部と当接する部位の外壁に目地プレートが入り込む切り欠き部を形成して、地震で一方の建物と他方の建物が異なる前後方向へ揺れ動いた場合、目地プレートが外壁と衝突して損傷するのを防止できるように構成している。
【０００３】
しかしながら、目地プレートの先端部側の端部が他方の建物の外壁と離れるように揺れ動いた場合に、目地プレートの端部と外壁との間に隙間が生じ、危険な状態となる欠点があった。
【特許文献１】特になし
【発明の開示】
【発明が解決しようとする課題】
【０００４】
本発明は以上のような従来の欠点に鑑み、一方の建物と他方の建物が異なる前後左右方向に揺れ動いても、目地部に隙間が生じることなく覆うことができる、構造が簡単で、容易に設置することができる安全な外側通路用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外側通路の端部の床躯体に形成された目地プレート後端部支持凹部と、この目地プレート後端部支持凹部と目地部を介して対応する部位の他方の建物の外側通路の端部の床躯体に形成された目地プレート先端部支持凹部と、地震で異なる前後方向に一方の床躯体と他方の床躯体とが揺れ動いた場合に、他方の建物の外壁と衝突しない前記目地プレート後端部支持凹部に先端部が上方へ回動可能に後端部が枢支され、先端部が前記目地プレート先端部支持凹部を覆うように支持された目地プレートと、前記一方の建物の外壁と他方の建物の外壁に一端部が当接し、地震で異なる前後方向に揺れ動いた場合でも、いずれか一方の建物の外壁に当接、あるいは他方の建物の外壁に当接して覆うことができる移動目地プレートと、この移動目地プレートの一端部を常時一方の建物の外壁、他方の建物の外壁の両方あるいはいずれか一方に当接するように支持する支持機構とで外側通路用目地装置を構成している。
【発明の効果】
【０００７】
以上の説明から明らかなように、本発明にあっては次に列挙する効果が得られる。
【０００８】
（１）一方の建物と他方の建物が異なる前後方向へ揺れ動いた場合、他方の建物の外側通路の外壁が目地プレートと衝突するのを確実に防止することができるとともに、他方の建物の外側通路の外壁か一方の建物の外側通路の外壁のいずれかに移動目地プレートが支持機構で一端部が当接した状態となるので、目地プレートが損傷することなく、目地プレートの端部の目地部を移動目地プレートで覆うことができる。
【０００９】
（２）前記（１）により、長方形状の目地プレートや移動目地プレートを用いることができ、構造が簡単で、比較的容易に設置することができる。
【００１０】
（３）前記（１）によって、移動目地プレートは他方の建物の外側通路の外壁面に当接あるいは一方の建物の外側通路の外壁面、他方の建物の外側通路の外壁面に当接するように支持されているので、簡単に移動することなく、安全に使用することができる。
【発明を実施するための最良の形態】
【００１１】
以下、図面に示す本発明を実施するための最良の形態により、本発明を詳細に説明する。
【００１２】
図１ないし図８に示す本発明を実施するための最良の第１の形態において、１は一方の建物２の外側通路３と目地部４を介して設けられた他方の建物５の外側通路６とを接続する本発明の外側通路用目地装置で、この外側通路用目地装置１は一方の建物２の外側通路３の目地部側端部の床躯体３ａに形成された目地プレート後端部支持凹部７と、この目地プレート後端部支持凹部７と対応する他方の建物５の外側通路６の目地部側端部の床躯体６ａに反目地部側が傾斜面８に形成された目地プレート先端部支持凹部９と、地震で異なる前後方向に前記一方の建物２と他方の建物５とが揺れ動きの最大寸法（Ｈ）と同じ、あるいはそれよりわずかに大きい寸法を前記一方の建物２の外側通路３の外壁３ｂおよび他方の建物５の外側通路６の外壁６ｂより離れて一端部が位置するように、前記目地プレート後端部支持凹部７に先端部が上方へ回動可能に後端部が枢支ピン１０、１０で支持され、先端部が前記目地プレート先端部支持凹部９を覆うように支持された目地プレート１１、１１と、前記一方の建物２の外壁３ｂと他方の建物５の外壁６ｂに一端部が当接し、地震で異なる前後方向に一方の建物２と他方の建物５とが揺れ動いた場合に、一方の建物２の外壁３ｂあるいは他方の建物５の外壁６ｂに当接して、前記最大寸法（Ｈ）部位の目地部４を覆う最大寸法（Ｈ）のほぼ２倍の幅寸法の移動目地プレート１２と、この移動目地プレート１２を常時一方の建物２の外壁３ｂおよび他方の建物５の外壁６ｂへ当接するように付勢する一端部が移動目地プレート１２に取付けられ、他端部が一方の建物２の外壁３ｂに取付けられたスプリング１３、前記移動目地プレート１２を平行移動させる前記目地プレート１１に前後方向に位置するように形成されたパイプ材で形成された軸筒１４、１４、この軸筒１４、１４にスライド移動可能に取付けられた、前記移動目地プレート１２の端部板１５に固定された軸１６、１６とからなる支持機構１７とで構成されている。
【００１３】
前記目地プレート１１は図４に示すように、浅皿状に金属材で形成された目地プレート本体１８と、この目地プレート本体１８の後端部の両側部の底面に形成された貫通孔１９、１９の周囲を覆うように固定された枢支ピンボックス２０、２０と、前記目地プレート本体１８の左右寄りの側壁部位に形成された貫通孔２１、２１、２１、２１に貫通するように前後方向に配置されたパイプ材を用いた
軸筒１４、１４と、この軸筒１４、１４を覆うように前記目地プレート本体１８内に充填されたコンクリート２２と、このコンクリート２２の表面に配置されたタイル等の床化粧板２３と、前記目地プレート本体１８の先端部にヒンジ部材２４を介して取付けられたカバープレート２５とで構成されている。
【００１４】
前記移動目地プレート１２は図５に示すように、前記最大寸法（Ｈ）のほぼ２倍の板状の移動目地プレート本体２６と、この移動目地プレート本体２６の一端部を下方へ折り曲げて形成された、前記目地プレート後端部支持凹部７および前記目地プレート先端部支持凹部９にスライド移動可能に支持されるように下端部が形成された端部板１５とで構成されている。
なお、移動目地プレート本体２６の先端部に前記目地プレート１１と同様にヒンジ部材を介してカバープレート取付けても良い。
【００１５】
上記構成の外側通路用目地装置１は図１および図２に示すように、通常時には一方の建物２と他方の建物５の外側通路３、６間の目地部４は目地プレート１１、１１と移動目地プレート１２によって覆われている。
地震によって一方の建物２と他方の建物５とが異なる前後方向に揺れ動いた場合には、図６に示すように他方の建物５の外壁６ｂで移動目地プレート１２を付勢スプリング１３の付勢力に抗して目地プレート１１、１１と大きく重なり合うように移動したり、図７に示すように一方の建物２の外壁３ｂに移動目地プレート１２が当接しているため、他方の建物５の外壁６ｂが移動目地プレート１２より離れるように移動して、その揺れ動きを吸収する。
【００１６】
なお、一方の建物２と他方の建物５の揺れ動きの最大寸法（Ｈ）をあけて目地プレート１１が枢支ピン１０、１０で枢支されているため、目地プレート１１の損傷を確実に防止できる。
また、移動目地プレート１２は揺れ動き時には、該移動目地プレート１２の端部がいずれか一方の建物の外壁と当接するように付勢されているため、必要以上に目地部４が開口することなく、比較的安全に使用することができる。
【００１７】
地震によって、異なる左右方向に揺れ動いた場合、図８に示すように目地プレート１１の先端部が目地プレート先端部支持凹部７上をスライド移動して、その揺れ動きを吸収する。
[発明を実施するための異なる形態]
【００１８】
次に、図９ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、移動目地プレート１２の前後方向の移動時に一方の建物２の外側通路３の外壁３ｂに当接しないように、一方の建物２の外側通路３の目地部側の床躯体３ａに目地部４へ突出する目地プレート後端部支持凹部９Ａを形成するとともに、他方の建物５の外側通路６の外壁６ｂに複数本のビス２７で固定されるクランク状の係止金具２８で移動目地プレート１２の端部板１５を係止し、移動目地プレート１２を他方の建物５の外側通路６の外壁６ｂと一体になって移動できる支持機構１７Ａを用いた点で、このような支持機構１７Ａを用いて構成した外側通路用目地装置１Ａにしても、前記本発明を実施するための最良の第１の形態と同様な作用効果が得られる。
【００２０】
図１２ないし図１４に示す本発明を実施するための第３の形態において、前記本発明を実施するための最良の第１の形態と主に異なる点は、軸１６、１６の外周部に常時移動目地プレート１２を一方の建物２の外壁３ｂと他方の建物の５の外壁６ｂへ押し圧することができるコイルスプリング２９、２９を用いた支持機構１７Ｂを用いた点で、このような支持機構１７Ｂを用いて構成した外側通路用目地装置１Ｂ
にしても、前記本発明を実施するための最良の第１の形態と同様な作用効果が得られる。
【００２１】
なお、前記本発明を実施するための各形態では目地プレート後端部支持凹部７および目地プレート先端部支持凹部９に目地プレート１１を設置したものについて説明したが、本発明はこれに限らず、目地プレート後端部支持凹部７および目地プレート先端部支持凹部９に金属材製のカバー板を取付けて、目地プレート１１を設置してもよい。
また、目地プレート１１の先端部を目地プレート先端部支持凹部９の傾斜面８と面接触する傾斜面に形成されたものを用いてもよい。
【産業上の利用可能性】
【００２２】
本発明は一方の建物の外側通路の端部と他方の建物の外側通路の端部とを接続する外側通路用目地装置を製造する産業で利用される。
【図面の簡単な説明】
【００２３】
【図１】本発明を実施するための最良の第１の形態の平面図。
【図２】図１の２−２線に沿う拡大断面図。
【図３】図１の３−３線に沿う断面図。
【図４】本発明を実施するための最良の第１の形態の目地プレートの説明図。
【図５】本発明を実施するための最良の第１の形態の移動目地プレートの説明図。
【図６】移動目地プレートを押し込む異なる前後方向の移動状態の説明図。
【図７】移動目地プレートより他方の建物の外壁が離れる前後方向の移動説明図。
【図８】本発明を実施するための最良の第１の形態の異なる左右方向の移動説明図。
【図９】本発明を実施するための第２の形態の平面図。
【図１０】図９の１０−１０線に沿う拡大断面図。
【図１１】本発明を実施するための第２の形態の支持機構の説明図。
【図１２】本発明を実施するための第３の形態の平面図。
【図１３】図１２の１３−１３線に沿う拡大断面図。
【図１４】図１２の１４−１４線に沿う断面図。
【符号の説明】
【００２４】
１、１Ａ、１Ｂ：外側通路用目地装置、
２：一方の建物、                            ３：外側通路、
４：目地部、                                              ５：他方の建物、    
６：外側通路、
７：目地プレート後端部支持凹部、
８：傾斜面、
９、９Ａ：目地プレート先端部支持凹部、
Ｈ：揺れ動きの最大寸法、                        １０：枢支ピン、
１１：目地プレート、                    １２：移動目地プレート、
１３：付勢スプリング、                １４：軸筒、
１５：端部板、                                １６：軸、
１７、１７Ａ、１７Ｂ：支持機構、
１８：目地プレート本体、                        １９：貫通孔、
２０：枢支ピンボックス、                        ２１：貫通孔、        
２２：コンクリート、                    ２３：床化粧板、
２４：ヒンジ部材、                                    ２５：カバープレート、
２６：移動目地プレート本体、    ２７：ビス、
２８：係止金具、                            ２９：コイルスプリング。
【図１】
2009079356.tif 000003
【図２】
2009079356.tif 000004
【図３】
2009079356.tif 000005
【図４】
2009079356.tif 000006
【図５】
2009079356.tif 000007
【図６】
2009079356.tif 000008
【図７】
2009079356.tif 000009
【図８】
2009079356.tif 000010
【図９】
2009079356.tif 000011
【図１０】
2009079356.tif 000012
【図１１】
2009079356.tif 000013
【図１２】
2009079356.tif 000014
【図１３】
2009079356.tif 000015
【図１４】
2009079356.tif 000016